(57)【要約】      （修正有）【課題】スマートフォンを用いる温水洗浄器制御方法を提供する。【解決手段】スマートフォンを用いた温水洗浄器制御方法は、温水洗浄器の制御部に接続される無線通信モジュールを介してスマートフォンと通信する通信段階と、スマートフォンに温水洗浄器の制御部に保存された駆動情報を伝送する駆動情報伝送段階と、温水洗浄器から伝送された駆動情報をスマートフォンが受信してメモリに保存する駆動情報保存段階と、駆動情報がスマートフォンのディスプレイ窓を介して表示することによって表示される駆動情報上からメニューを設定するメニュー設定段階と、設定されたメニューの選択に応じてスマートフォンから温水洗浄器の制御部に制御信号を伝送する制御信号伝送段階と、制御信号に応じて温水洗浄器の制御部が温水洗浄器の作動を制御する作動制御段階、を含む。【選択図】図１
2013133702.tif 000002
【特許請求の範囲】
【請求項１】
温水洗浄器にスマートフォンが近接することによって温水洗浄器の制御部に接続される無線通信モジュールを介してスマートフォンと通信する通信段階と、
前記通信段階によって通信するスマートフォンに温水洗浄器の制御部に保存された駆動情報を伝送する駆動情報伝送段階と、
前記駆動情報伝送段階によって温水洗浄器から伝送された駆動情報をスマートフォンが受信してメモリに保存する駆動情報保存段階と、
前記駆動情報保存段階によって保存された駆動情報がスマートフォンのディスプレイ窓を介して表示されることによって表示される駆動情報上から温水洗浄器の制御のためのメニューを設定するメニュー設定段階と、
前記メニュー設定段階によって設定されたメニューの選択に応じてスマートフォンから温水洗浄器の制御部に選択されたメニューの実行のための制御信号を伝送する制御信号伝送段階と、
前記制御信号伝送段階によって伝送された制御信号に応じて温水洗浄器の制御部が温水洗浄器の作動を制御する作動制御段階と、
を含むことを特徴とするスマートフォンを用いた温水洗浄器制御方法。
【請求項２】
前記通信段階の近距離無線通信モジュールは、ブルートゥースまたは赤外線または無線周波数またはジグビーの近距離無線通信方式を用いることを特徴とする請求項１に記載のスマートフォンを用いた温水洗浄器制御方法。
【請求項３】
前記駆動情報提供段階の駆動情報は、温水洗浄器のモデル情報と機能情報を含む運用プログラムであることを特徴とする請求項１に記載のスマートフォンを用いた温水洗浄器制御方法。
【請求項４】
前記メニュー設定段階のメニューは、一律的順序で自動進行する基本メニューと使用者の意図に応じて進行する使用者メニューとに区分することを特徴とする請求項１に記載のスマートフォンを用いた温水洗浄器制御方法。
【請求項５】
前記メニュー設定段階の基本メニューは、水圧、温度、ノズル位置の項目について設定可能であり、使用者メニューは、洗浄ビデ、乾燥の項目及び水圧、温度、ノズル位置、時間の項目について設定することができることを特徴とする請求項１に記載のスマートフォンを用いた温水洗浄器制御方法。
【発明の詳細な説明】
【技術分野】
【０００１】
本発明は、温水洗浄器に関し、より詳しくは、温水洗浄器に用意された操作パネルと製造社が提供するリモートコントローラ外に使用者個人のスマートフォンを介して温水洗浄器の制御が可能であることによって、温水洗浄器をより簡便に使用することができるスマートフォンを用いる温水洗浄器制御方法（control method of bidet using smart phone）に関する。
【背景技術】
【０００２】
排便過程において、肛門周囲は常に便などによって汚染されている。
【０００３】
したがって、排便後には肛門周囲を清潔に維持するための後始末が必要とされる。
【０００４】
一方、過去における排便後の後始末は紙くずなどで肛門及びその周辺を拭き取る程度のものであった。
【０００５】
しかし、紙くずなどで肛門及び周辺を拭き取るだけでは肛門を清潔に維持することができないという問題があった。
【０００６】
このような従来の排便後の後始末による問題点を解消しようと温水洗浄器が用いられている。
【０００７】
温水洗浄器は、排便後の洗浄水によって肛門や局所を洗浄及びマッサージをすることになるので、肛門や局所をより衛生的に管理することができる。
【０００８】
ここで、従来の温水洗浄器は、温水洗浄器に用意された操作パネルの操作または製造社が提供するリモートコントローラ操作によって制御を行うことができた。
【０００９】
このように操作パネルの操作または製造社が提供するリモートコントローラ操作による温水洗浄器の制御は、汎用的な使用であるために、通常的な機能設定及びメニューが構成されているので、個人の趣向が反映されないという問題点があった。
【００１０】
上記のような理由から該当分野においては、温水洗浄器の制御が個人の趣向に合わせて行われるようにする温水洗浄器制御方法が研究されているが、いまのところ満足するほどの結果が得られない実情である。  
【先行技術文献】
【特許文献】
【００１１】
【特許文献１】大韓民国特許出願公開第10-1996-0014554号明細書
【発明の概要】
【発明が解決しようとする課題】
【００１２】
本発明は、上記のような実情を勘案して提案されたものであって、既存の温水洗浄器は操作パネルの操作やリモートコントローラの操作により制御していたために個人の趣向が反映されないという問題点を解消することができるスマートフォンを用いた温水洗浄器の制御方法を提供することを目的とする。
【課題を解決するための手段】
【００１３】
上記目的を達成するための本発明によるスマートフォンを用いた温水洗浄器制御方法は、温水洗浄器にスマートフォンが近接されると、温水洗浄器の制御部に接続された無線通信モジュールを介してスマートフォンと通信する通信段階と、前記通信段階によって通信可能となったスマートフォンに、温水洗浄器の制御部に保存されていた駆動情報を伝送する駆動情報伝送段階と、前記駆動情報伝送段階によって温水洗浄器から伝送された駆動情報をスマートフォンが受信し、メモリに保存する駆動情報保存段階と、前記駆動情報保存段階によって保存された駆動情報がスマートフォンのディスプレイ窓を介して表示されることで、表示された駆動情報上から温水洗浄器の制御のためのメニューを設定するメニュー設定段階と、前記メニュー設定段階によって設定されたメニュー選択に応じてスマートフォンから温水洗浄器の制御部に選択されたメニュー実行のための制御信号を伝送する制御信号伝送段階と、前記制御信号伝送段階によって伝送された制御信号に応じて温水洗浄器の制御部が温水洗浄器の作動を制御する作動制御段階と、を含むことを特徴とする。
【００１４】
ここで、前記通信段階の近距離無線通信モジュールは、ブルートゥースまたは赤外線または無線周波数またはジグビー（zigbee）の近距離無線通信方式を用いることを特徴とする。
【００１５】
そして、前記駆動情報提供段階の駆動情報は、温水洗浄器のモデル情報と機能情報を含む運用プログラムであることを特徴とする。
【００１６】
そして、前記メニュー設定段階のメニューは、一律的順序で自動進行する基本メニューと使用者の意図に応じて進行する使用者メニューとに区分することを特徴とする。
【００１７】
そして、前記メニュー設定段階において、基本メニューは、水圧、温度、ノズル位置の項目について設定可能であり、使用者メニューは、洗浄ビデ、乾燥の項目及び水圧、温度、ノズル位置、時間の項目について設定することができることを特徴とする。
【発明の効果】
【００１８】
本発明によるスマートフォンを用いた温水洗浄器制御方法は、温水洗浄器使用者が所持するスマートフォンを介して温水洗浄器を制御することができるので、温水洗浄器の操作パネルまたはリモートコントローラの操作なしに、温水洗浄器の使用を簡便に行うことができる。
【００１９】
また、本発明によるスマートフォンを用いた温水洗浄器制御方法は、温水洗浄器制御メニューが使用者の意図に応じて設定できるので、使用者の意図に応じて設定されたメニューを介して温水洗浄器の制御ができ、温水洗浄器作動が個人の趣向に合わせて行うことができるので、使用者の満足度を高めることができる。  
【図面の簡単な説明】
【００２０】
【図１】本発明によるスマートフォンを用いた温水洗浄器制御方法のフローチャートである。
【図２】本発明によるスマートフォンを用いた温水洗浄器制御方法において温水洗浄器とスマートフォンとの通信を説明するための概路図である。
【図３】本発明によるスマートフォンを用いた温水洗浄器制御方法においてスマートフォンを介する駆動情報表示を示す例示図である。
【図４】本発明によるスマートフォンを用いた温水洗浄器制御方法において基本メニューの構成を示す例示図である。
【図５】本発明によるスマートフォンを用いた温水洗浄器制御方法において使用者メニューの構成を示す例示図である。
【発明を実施するための形態】
【００２１】
以下、添付図面を参照してしながら、本発明の好適な実施の形態について詳細に説明する。
【００２２】
図１に示すように、本発明によるスマートフォンを用いた温水洗浄器制御方法は、通信段階（Ｓ１）と、駆動情報伝送段階（Ｓ２）と、駆動情報保存段階（Ｓ３）と、メニュー設定段階（Ｓ４）と、制御信号伝送段階（Ｓ５）と、作動制御段階（Ｓ６）と、を含む。
【００２３】
前記通信段階（Ｓ１）は、温水洗浄器１０にスマートフォン２０が近接することによって温水洗浄器１０の制御部１１に接続される近距離無線通信モジュール１２を介してスマートフォン２０と通信する。
【００２４】
このような通信段階（Ｓ１）において、温水洗浄器１０の制御部１１に接続される近距離無線通信モジュール１２はブルートゥースまたは赤外線または無線周波数またはジグビー（zigbee）の近距離無線通信方式を用いる。
【００２５】
このとき、温水洗浄器１０の近距離無線通信モジュール１２がブルートゥース方式を用いる場合、スマートフォン２０には通常ブルートゥースモジュール２１が設けられているため、温水洗浄器１０の近距離無線通信モジュール１２は直ちにスマートフォン２０と通信することができる。
【００２６】
そして、温水洗浄器１０の近距離無線通信モジュール１２が赤外線または無線周波数またはジグビーの方式を用いる場合、スマートフォン２０には通信コネクタ２４が接続されて温水洗浄器１０の近距離無線通信モジュール１２がスマートフォン２０と通信することができる。
【００２７】
一方、近距離無線通信モジュールを介する無線通信原理は、すでに開示されているので、近距離無線通信モジュールを介する無線通信に関する詳細な説明は省略する。
【００２８】
前記駆動情報提供段階（Ｓ２）は、通信段階（Ｓ１）によって通信するスマートフォン２０に、温水洗浄器１０の制御部１１に保存された駆動情報を伝送する。
【００２９】
このような駆動情報伝送段階（Ｓ２）において、スマートフォン２０に伝送する駆動情報は温水洗浄器１０のモデル情報と機能情報を含む運用プログラム（アプリケーション）である。
【００３０】
駆動情報伝送段階（Ｓ２）において、スマートフォン１０に伝送する駆動情報が温水洗浄器１０のモデル情報と機能情報を含む運用プログラム（アプリケーション）であることで、駆動情報を介して温水洗浄器１０のモデルと機能に従って温水洗浄器１０の制御を行うことができる。
【００３１】
このとき、前記駆動情報に含まれる温水洗浄器１０の機能情報はスマートフォン２０のディスプレイ窓２２を介して表示されるが、スマートフォン１０上に制御可能な機能とスマートフォン２０上に制御不可能な機能とが区分されて表示されることが好ましい。
【００３２】
駆動情報に含まれる温水洗浄器１０の機能情報がスマートフォン２０のディスプレイ窓２２を介して表示されるが、スマートフォン２０上に制御可能な機能とスマートフォン２０上に制御不可能な機能とが区分されて表示されることで使用者がスマートフォン２０を介して使用することができる温水洗浄器１０の機能を容易に把握することができる。
【００３３】
前記駆動情報保存段階（Ｓ３）は、駆動情報伝送段階（Ｓ２）によって温水洗浄器１０から伝送された駆動情報をスマートフォン２０が受信し、メモリ２３に保存する。
【００３４】
このような駆動情報保存段階（Ｓ３）において、駆動情報はスマートフォン１０の内装または外装メモリ２３のいずれに保存されてもよい。
【００３５】
前記メニュー設定段階（Ｓ４）は、駆動情報保存段階（Ｓ３）で保存された駆動情報がスマートフォン２０のディスプレイ窓２２を介して表示され、表示された駆動情報上から温水洗浄器１０の制御のためのメニューを設定することができる。
【００３６】
このようなメニュー設定段階（Ｓ４）において、メニューは一律的順序で自動進行する基本メニューと使用者の意図に応じて進行する使用者メニューとに区分することが好ましい。
【００３７】
メニュー設定段階（Ｓ４）において、メニューが一律的順序で自動進行する基本メニューと使用者の意図に応じて進行する使用者メニューとに区分することでメニュー選択によって温水洗浄器１０の制御が一律的順序で自動進行することができるか、または使用者の意図に応じて進行することができる。
【００３８】
そして、メニュー設定段階（Ｓ４）において、基本メニューは、洗浄、ビデ、乾燥の項目及び水圧、温度、ノズル位置の項目について設定することができるようにすることが好ましい。
【００３９】
メニュー設定段階（Ｓ４）において、基本メニューが、水圧、温度、ノズル位置の項目について設定できるので、基本メニュー設定を介して水圧、温度、ノズル位置を制御することができる。
【００４０】
そして、メニュー設定段階（Ｓ４）において、使用者メニューは、洗浄、ビデ、乾燥の項目及び水圧、温度、ノズル位置、時間の項目について設定できることが好ましい。
【００４１】
メニュー設定段階（Ｓ４）において、使用者メニューが洗浄、ビデ、乾燥の項目及び水圧、温度、ノズル位置、時間の項目について設定できるので、使用者メニュー設定を介して水圧、温度、ノズル位置を制御することができるだけでなく、洗浄、ビデ、乾燥の項目の順序を変えて設定することができ、ある項目を排除して設定することができ、それぞれの進行時間を長く、または短く設定することができる。
【００４２】
前記制御信号伝送段階（Ｓ５）は、メニュー設定段階（Ｓ４）で設定されたメニューの選択に応じてスマートフォン２０から温水洗浄器１０の制御部１１に選択されたメニューの実行のための制御信号を伝送する。
【００４３】
前記作動制御段階（Ｓ６）は、制御信号伝送段階（Ｓ５）から伝送された制御信号に応じて温水洗浄器１０の制御部１１が温水洗浄器１０の作動を制御する。
【００４４】
前記の本発明によるスマートフォンを用いた温水洗浄器制御方法に係る温水洗浄器１０の制御に関して詳細に説明する。
【００４５】
まず、温水洗浄器１０とスマートフォン２０との間に通信が行われる。
本発明において、温水洗浄器１０の制御部１１には、ブルートゥースまたは赤外線または無線周波数またはジグビー（zigbee）方式を用いる近距離無線通信モジュール１２が用意されていて、使用者が温水洗浄器１０に隣接すると、図２に示すように温水洗浄器１０の制御部１１に接続された無線通信モジュール１２を介して使用者のスマートフォン２０と通信が行われることになる。
【００４６】
次に、温水洗浄器１０からスマートフォン２０に温水洗浄器１０駆動情報が伝送される。
【００４７】
本発明において、温水洗浄器１０の制御部１１には、温水洗浄器１０の駆動情報、すなわち、温水洗浄器１０のモデル情報と機能情報を含む運用プログラムが保存されていて、温水洗浄器１０とスマートフォン２０との間に通信が行われる状態で温水洗浄器１０からスマートフォン２０に駆動情報の伝送が行われることができる。
【００４８】
次に、スマートフォン２０に温水洗浄器１０から伝送された駆動情報が保存される。
【００４９】
スマートフォン２０には、通常データ保存のためのメモリ２３が設けられていて、温水洗浄器１０とスマートフォン２０との間に通信が行われる状態で温水洗浄器１０から伝送された駆動情報はスマートフォン２０に受信された後にメモリ２３に保存されることができる。
【００５０】
次に、図３に示すように、スマートフォン２０に表示される駆動情報上から温水洗浄器１０の制御のためのメニューが設定される。
【００５１】
本発明において、スマートフォン２０のディスプレイ窓２２に表示される駆動情報で、メニューは一律的順序で自動進行する基本メニューと使用者の意図に応じて進行する使用者メニューとに区分されるだけでなく、洗浄、ビデ、乾燥の項目及び水圧、温度、ノズル位置の項目に細分されるので、メニュー設定過程において使用者の趣向を反映することができる。
【００５２】
すなわち、スマートフォン２０のディスプレイ窓２２を介して表示される駆動情報上から基本メニューを選択すると、図４に示すように、洗浄、ビデ、乾燥の順序で進行される進行順序と進行時間については使用者が設定することができないが、水圧、温度、ノズル位置については使用者設定することができるので、使用者の趣向に合わせて水圧、温度、ノズル位置を調節することで、メニュー設定による温水洗浄器制御により使用者趣向を反映した温水洗浄器１０の作動が行われることができる。
【００５３】
そして、スマートフォン２０のディスプレイ窓２２を介して表示される使用者メニューを選択すると、図５に示すように、水圧、温度、ノズル位置について使用者設定を行うことができて水圧、温度、ノズル位置が調節できるだけでなく、洗浄、ビデ、乾燥の項目の順序を変えて設定することができ、ある項目を排除して設定することができるようになり、それぞれの進行時間を長く、または短く設定することができるので、メニュー設定時に使用者の趣向を反映することができる。
【００５４】
このとき、設定されたメニューはスマートフォン２０に保存されるので、次に以前に使用したメニューを呼び出して選択することができる。
【００５５】
次に、スマートフォン２０から温水洗浄器１０に制御信号が伝送される。
本発明において設定されたメニューは、選択可能であるので、メニュー設定が完了した後、スマートフォン２０に表示される駆動情報上から基本メニューまたは使用者メニューを選択すると、スマートフォン２０から温水洗浄器１０に選択されたメニューを実行するための制御信号が伝送されることができる。
【００５６】
次に、スマートフォン２０から伝送された制御信号に応じて温水洗浄器１０の作動が制御される。
【００５７】
本発明において、スマートフォン２０からの制御信号は、温水洗浄器１０の制御部１１に伝送されるので、温水洗浄器１０の制御部１１が温水洗浄器１０の作動を設定されたメニューに従って制御することができる。
【００５８】
前記のように、本発明によるスマートフォンを用いた温水洗浄器制御方法は、温水洗浄器１０の使用者が所持するスマートフォン２０を介して温水洗浄器１０の制御を行うことができるので、温水洗浄器１０の操作パネルまたはリモートコントローラの操作なしに、温水洗浄器１０の使用を簡便に行うことができることで、温水洗浄器１０の制御メニューが使用者の意図に応じて設定できるので、使用者の意図に応じて設定されたメニューを介して温水洗浄器１０の制御を行うことができて、温水洗浄器１０の作動が個人の趣向に合わせて行うことができるので、使用者の満足度を高めることができる。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１０    温水洗浄器
１１    制御部
１２    近距離無線通信モジュール
２０    スマートフォン
２１    ブルートゥースモジュール
２２    ディスプレイ窓
２３    メモリ
２４    通信コネクタ
Ｓ１    通信段階
Ｓ２    駆動情報伝送段階
Ｓ３    駆動情報保存段階
Ｓ４    メニュー設定段階
Ｓ５    制御信号伝送段階
Ｓ６    作動制御段階  
【図１】
2013133702.tif 000003
【図２】
2013133702.tif 000004
【図３】
2013133702.tif 000005
【図４】
2013133702.tif 000006
【図５】
2013133702.tif 000007